(57)【特許請求の範囲】
【請求項１】
第１建物ユニットと第２建物ユニットと第３建物ユニットをこの順に隣接配置して構築されるユニット建物の床施工方法であって、
第１建物ユニットの床部の少なくとも一部を工場で第１種の床仕上材を敷設した既設部とし、
第２建物ユニットと第３建物ユニットの床部の略全面を工場で床仕上材を敷設しない未設部とし、
現地において、第１建物ユニットと第２建物ユニットと第３建物ユニットをこの順に隣接配置した状態で、
上記第３建物ユニットの上記未設部から、上記第１建物ユニットの上記既設部の境界部近傍へ向けて順番に第２種の床仕上材を敷設し、
第１種の床仕上材と第２種の床仕上材との境界部にできる隙間に見切り材を装填することを特徴とするユニット建物の床施工方法。
【請求項２】
第１建物ユニットと第２建物ユニットと第３建物ユニットをこの順に隣接配置して構築されるユニット建物の床施工方法であって、
第１建物ユニットの床部の少なくとも一部を工場で第１種の床仕上材を敷設した既設部とし、
第２建物ユニットの床部の略全面を工場で床仕上材を敷設しない未設部とし、
第３建物ユニットの床部の少なくとも一部を工場で第２種の床仕上材を敷設した既設部とし、
現地において、第１建物ユニットと第２建物ユニットと第３建物ユニットをこの順に隣接配置した状態で、
上記第３建物ユニットの上記既設部の境界部から、上記第１建物ユニットの上記既設部の境界部近傍に向けて順番に第２種の床仕上材を敷設し、
第１種の床仕上材と第２種の床仕上材との境界部にできる隙間に見切り材を装填することを特徴とするユニット建物の床施工方法。
【請求項３】
前記第１建物ユニットはキッチンを形成する請求項１又は２に記載のユニット建物の床施工方法。
【請求項４】
前記第１建物ユニットの工場で敷設する第１種の床仕上材の既設部に、予め工場で設備機器も設置する請求項１〜３のいずれかに記載のユニット建物の床施工方法。
【発明の詳細な説明】
【技術分野】
【０００１】
本発明はユニット建物の床施工方法に関する。
【背景技術】
【０００２】
複数の建物ユニットを隣接配置して構築されるユニット建物において、建物ユニットの工場生産化率を高め、現地施工の迅速化を図るため、特許文献１に記載の床施工方法が提案されている。
【０００３】
特許文献１に記載の床施工方法は、第１建物ユニットと第２建物ユニットの各床部の互いに突き合わされる境界部を含む一部を工場で床仕上材を敷設しない未設部とする。そして、現地で第１建物ユニットと第２建物ユニットを隣接配置した状態で、各建物ユニットの床部の上記未設部に、それらの両建物ユニットに跨る床仕上用ジョイント材を配置する。即ち、隣接配置された第１建物ユニットの床部において上記未設部を区画する床仕上材と、第２建物ユニットの床部において上記未設部を区画する床仕上材とがなす間隔に、上記床仕上用ジョイント材を隙間なく配置しようとするものである。
【先行技術文献】
【特許文献】
【０００４】
【特許文献１】特開平3-96564号公報
【発明の概要】
【発明が解決しようとする課題】
【０００５】
しかしながら、特許文献１に記載の床施工方法では、第１建物ユニットと第２建物ユニットを隣接配置した状態で、第１建物ユニットの床部において上記未設部を区画する床仕上材と、第２建物ユニットの床部において上記未設部を区画する床仕上材とがなす間隔を所定の寸法に正確に設定することには困難があるし、それらの床仕上材の相対向する縁同士の平行度を正確に設定することにも困難がある。
【０００６】
このため、第１建物ユニットの床部において上記未設部を区画する床仕上材と、第２建物ユニットの床部において上記未設部を区画する床仕上材とがなす間隔に、上記床仕上用ジョイント材を隙間なく納めることは困難であり、床施工の簡易迅速及び品質の安定化に困難がある。
【０００７】
本発明の課題は、相隣る建物ユニットによってユニット建物を構築するとき、建物ユニットの工場生産化率を高めるとともに、相隣る建物ユニットの間での床施工の簡易迅速及び床品質の安定化を図ることにある。
【課題を解決するための手段】
【０００９】
請求項１に係る発明は、第１建物ユニットと第２建物ユニットと第３建物ユニットをこの順に隣接配置して構築されるユニット建物の床施工方法であって、第１建物ユニットの床部の少なくとも一部を工場で第１種の床仕上材を敷設した既設部とし、第２建物ユニットと第３建物ユニットの床部の略全面を工場で床仕上材を敷設しない未設部とし、現地において、第１建物ユニットと第２建物ユニットと第３建物ユニットをこの順に隣接配置した状態で、上記第３建物ユニットの上記未設部から、上記第１建物ユニットの上記既設部の境界部近傍へ向けて順番に第２種の床仕上材を敷設し、第１種の床仕上材と第２種の床仕上材との境界部にできる隙間に見切り材を装填するようにしたものである。
【００１０】
請求項２に係る発明は、第１建物ユニットと第２建物ユニットと第３建物ユニットをこの順に隣接配置して構築されるユニット建物の床施工方法であって、第１建物ユニットの床部の少なくとも一部を工場で第１種の床仕上材を敷設した既設部とし、第２建物ユニットの床部の略全面を工場で床仕上材を敷設しない未設部とし、第３建物ユニットの床部の少なくとも一部を工場で第２種の床仕上材を敷設した既設部とし、現地において、第１建物ユニットと第２建物ユニットと第３建物ユニットをこの順に隣接配置した状態で、上記第３建物ユニットの上記既設部の境界部から、上記第１建物ユニットの上記既設部の境界部近傍に向けて順番に第２種の床仕上材を敷設し、第１種の床仕上材と第２種の床仕上材との境界部にできる隙間に見切り材を装填するようにしたものである。
【００１１】
請求項３に係る発明は、請求項１又は２に係る発明において更に、前記第１建物ユニットはキッチンを形成するようにしたものである。
【００１２】
請求項４に係る発明は、請求項１〜３のいずれかに係る発明において更に、前記第１建物ユニットの工場で敷設する第１種の床仕上材の既設部に、予め工場で設備機器も設置するようにしたものである。
【発明の効果】
【００１５】
（請求項１、３）
(a)現地において、第１建物ユニットと第２建物ユニットと第３建物ユニットを隣接配置した状態で、第３建物ユニットの床仕上材の未設部から、第１建物ユニットにおける第１種の床仕上材の既設部の境界部近傍に向けて順番に第２種の床仕上材を敷設する。その後、第１種の床仕上材と第２種の床仕上材との境界部にできる隙間に見切り材を装填する。このとき、第１種の床仕上材と第２種の床仕上材との境界部にできる隙間は小さく、その隙間の寸法に僅かな変動があったり、その隙間を挟んで相対向するそれらの床仕上材の縁同士の平行度が低くても、見切り材はその隙間に装填されて当該隙間の存在をきれいに隠す。
【００１６】
これにより、意匠又は性能が異なる第１種の床仕上材と第２種の床仕上材が見切り材を介して整然と接続されるものになり、建物ユニットの工場生産化率を高めるとともに、相隣る建物ユニットの間での床施工の簡易迅速及び床品質の安定化を図ることができる。
【００１７】
ここで、第１建物ユニットに敷設される第１種の床仕上材としては当該建物ユニットが形成する例えばキッチン、プレイルーム等にふさわしい意匠、性能（汚れにくい、汚れを除去し易い等）の床仕上材が採用される。また、第２と第３の建物ユニットに敷設される第２種の床仕上材としては当該建物ユニットが形成する例えばリビングルーム等にふさわしい意匠、性能の床仕上材が採用される。
【００１８】
（請求項２、３）
(b)現地において、第１建物ユニットと第２建物ユニットと第３建物ユニットを隣接配置した状態で、第３建物ユニットにおける第２種の床仕上材の既設部の境界部から、第１建物ユニットにおける第１種の床仕上材の既設部の境界部近傍に向けて順番に第２種の床仕上材を敷設する。その後、第１種の床上材と第２種の床仕上材との境界部にできる隙間に見切り材を装填する。このとき、第１種の床仕上材と第２種の床仕上材との境界部にできる隙間は小さく、その隙間の寸法に僅かな変動があったり、その隙間を挟んで相対向するそれらの床仕上材の縁同士の平行度が低くても、見切り材はその隙間に装填されて当該隙間の存在をきれいに隠す。
【００１９】
これにより、意匠又は性能が異なる第１種の床仕上材と第２種の床仕上材が見切り材を介して整然と接続されるものになり、建物ユニットの工場生産化率を高めるとともに、相隣る建物ユニットの間での床施工の簡易迅速及び床品質の安定化を図ることができる。
【００２０】
ここで、第１建物ユニットに敷設される第１種の床仕上材としては当該建物ユニットが形成する例えばキッチン、プレイルーム等にふさわしい意匠、性能（汚れにくい、汚れを除去し易い等）の床仕上材が採用される。また、第２と第３の建物ユニットに敷設される第２種の床仕上材としては当該建物ユニットが形成する例えばリビングルーム等にふさわしい意匠、性能の床仕上材が採用される。
【００２１】
（請求項４）
(c)第１建物ユニットの工場で敷設する第１種の床仕上材の既設部に、予め工場で設備機器も設置する。これにより、第１建物ユニットに設置すべき設備機器を現地で設置する必要がなくなり、第１建物ユニットの工場生産化率を高めることができる。
【図面の簡単な説明】
【００２２】
【図１】図１は実施例１の床施工方法を示す模式図である。
【図２】図２は図１のII-II線に沿う床部における床仕上材の敷設手順を示す模式図である。
【図３】図３は図１のIII-III線に沿う床部における床仕上材の敷設手順を示す模式図である。
【図４】図４は図１のIII-III線に沿う床部における見切り材の装填手順を示す模式図である。
【図５】図５は床仕上材の敷設完了状態を示す模式図である。
【図６】図６は実施例２の床施工方法を示す模式図である。
【発明を実施するための形態】
【００２３】
（実施例１）（図１〜図４）
図１は、実施例１に係るユニット建物１００の一部を示したものであり、第１建物ユニット１と第２建物ユニット２と第３建物ユニット３をこの順に隣接配置して構築されたものである。尚、図１、図５、図６中の点線は建物ユニットと建物ユニットの境界を示す。
【００２４】
第１〜第３の各建物ユニット１〜３は、工場において、柱と床梁と天井梁を接合した骨組構造体に、床下地材及び天井材等を組付けて構成される。このような建物ユニット１〜３は現地で隣接配置され、ユニット建物１００を構築するものになる。
【００２５】
ユニット建物１００は、図２、図３に示す如く、各建物ユニット１〜３の床下地材の上に工場生産段階又は現地施工段階で床仕上材１０、２０が敷設され、相隣る建物ユニット１〜３の間でそれらの床仕上材１０、２０が整然と隣接するものとされる。
【００２６】
本実施例では、各建物ユニット１〜３の工場生産化率を高めるとともに、ユニット建物１００において相隣る建物ユニット１〜３の間での床施工の簡易迅速及び床品質の安定化を図るため、ユニット建物１００の床施工方法を以下の如くにする。
【００２７】
尚、各建物ユニット１〜３の床部１Ａ〜３Ａにあっては、工場生産段階で、図２〜図４に示す如く、相対する床大梁４に床小梁５の両端のブラケット６を取付け、床大梁４に設けたスペーサ７の上面及び床小梁５の上面に床下地材８を敷設する。
【００２８】
また、本実施例では、第１建物ユニット１によってキッチンＫを形成し、第２建物ユニット２及び第３建物ユニット３によって連続したリビングルームＬを形成するものとする。
【００２９】
(1)第１建物ユニット１の床部１Ｆの少なくとも一部（本実施例では、第１建物ユニット１の床部１Ｆにおいて、第２建物ユニット２の床部２Ｆから第１建物ユニット１の床部１Ｆに跨る接続用の第２種の床仕上材２１が後付けされる部分を除いた略全部）に、図１、図３に示す如く、工場でキッチンＫに好適とされる例えば石目調の第１種の床仕上材１０を敷設し、この一部を第１種の床仕上材１０の既設部１０Ｋとする。第１種の床仕上材１０は床部１Ｆを構成している床下地材８の上に敷設される。
【００３０】
第１建物ユニット１の床部１Ｆにおいて、第１種の床仕上材１０の既設部１０Ｋに、図１、図３に示す如く、予め工場で設備機器３０（キッチン台３１、収納棚３２等）も配置する。
【００３１】
(2)第２建物ユニット２の床部２Ｆの略全面（本実施例では全面）を、図１に示す如く、工場で床仕上材を敷設しない未設部２０Ｍとする。
【００３２】
(3)第３建物ユニット３の床部３Ｆの少なくとも一部（本実施例では、第３建物ユニット３の床部３Ｆにおいて、第３建物ユニット３の床部３から第２建物ユニット２の床部２Ｆに跨る接続用の第２種の床仕上材２２が後付けされる部分を除いた略全部）を、図１に示す如く、工場でリビングルームＬに好適とされる例えば木目調の第２種の床仕上材２０を敷設した既設部２０Ｋとする。
【００３３】
(4)上記(1)〜(3)の各建物ユニット１〜３を現地に輸送し、第１建物ユニット１と第２建物ユニット２と第３建物ユニット３をこの順に隣接配置する。
【００３４】
(5)第３建物ユニット３の床部３Ｆにおける第２種の床仕上材２０の既設部２０Ｋの境界部（第２建物ユニット２の床部２Ｆ寄りの境界部）から、第２建物ユニット２の床部２Ｆにおける第２種の床仕上材２０の未設部２０Ｍを経て、第１建物ユニット１の床部１Ｆにおける第１種の床仕上材１０の既設部１０Ｋの境界部（第２建物ユニット２の床部２Ｆ寄りの境界部）近傍に向けて（図１で矢印の方向に向けて）順番に第２種の床仕上材２０（接続用の第２種の床仕上材２１、２２も含む）を敷設する。
【００３５】
(5-1)即ち、図２に示す如く、第３建物ユニット３の床部３Ｆにおける第２種の床仕上材２０の既設部２０Ｋの境界部に位置する第２種の床仕上材２０の端部（接続用の第２種の床仕上材２２の一端が突き合わされる端部）に設けてある凹部２０Ｒに、接続用の第２種の床仕上材２２の一端に設けてある凸部２２Ｐを嵌合し、この接続用の第２種の床仕上材２２を第３建物ユニット３の床部３Ｆから第２建物ユニット２の床部２Ｆに跨らせるように床下地材８に接着、釘打ち等して固定する。
【００３６】
続いて、第２建物ユニット２の床部２Ｆ上で、接続用の第２種の床仕上材２２の他端に設けてある凹部２２Ｒに、第２種の床仕上材２０の一端に設けてある凸部２０Ｐを嵌合し、この第２種の床仕上材２０の他端に設けてある凹部２０Ｒに他の第２種の床仕上材２０の一端に設けてある凸部２０Ｐを嵌合することを繰り返し、この第２種の床仕上材２０を第２建物ユニット２の床部２Ｆにおける未設部２０Ｍの略全域に渡るように床下地材８に接着、釘打ち等して固定する。ここで、接続用の第２種の床仕上材２２は、第２種の床仕上材２０と同一意匠、同一性能、同一寸法をなす。
【００３７】
(5-2)その後、図３に示す如く、第２建物ユニット２の床部２Ｆの第１建物ユニット１の床部１Ｆに相対する境界部に敷設された第２種の床仕上材２０の端部（接続用の第２種の床仕上材２１の一端が突き合わされる端部）に設けてある凹部２０Ｒに、接続用の第２種の床仕上材２１の一端に設けてある凸部２１Ｐを嵌合し、この接続用の第２種の床仕上材２１を第２建物ユニット２の床部２Ｆから第１建物ユニット１の床部１Ｆに跨らせるように床下地材８に接着、釘打ち等して固定する。ここで、接続用の第２種の床仕上材２１は、他端を平坦面２１Ａとする以外の点において、第２種の床仕上材２０と同一意匠、同一性能をなすものとされている。
【００３８】
(6)上述(5)によって第１建物ユニット１の床部１Ｆ上で相対する第１種の床仕上材１０と第２種の床仕上材２０との境界部にできる隙間Ｇに、図４に示す如く、見切り材４０を装填する。以上により、図５に示す如く、第１〜第３建物ユニット１〜３の床部１Ｆ〜３Ｆの全面に床仕上材１０、２０が敷設完了されるものになる。
【００３９】
見切り材４０は、ヘッド４１と脚部４２とからなる連続長尺体であり、第１種の床仕上材１０と第２種の床仕上材２０の上述の隙間Ｇに充填された接着剤４３内に脚部４２を埋め込んで固定化される状態で、長尺状に連続するヘッド４１によって隙間Ｇとその両端の第１種の床仕上材１０及び第２種の床仕上材２０の各縁部を外界に対して覆い隠す。
【００４０】
本実施例によれば以下の作用効果を奏する。
(a)現地において、第１建物ユニット１と第２建物ユニット２と第３建物ユニット３を隣接配置した状態で、第３建物ユニット３における第２種の床仕上材２０の既設部２０Ｋの境界部から、第１建物ユニット１における第１種の床仕上材１０の既設部１０Ｋの境界部近傍に向けて順番に第２種の床仕上材２０を敷設する。その後、第１種の床仕上材１０と第２種の床仕上材２０との境界部にできる隙間Ｇに見切り材４０を装填する。このとき、第１種の床仕上材１０と第２種の床仕上材２０との境界部にできる隙間Ｇは小さく、その隙間Ｇの寸法に僅かな変動があったり、その隙間Ｇを挟んで相対向するそれらの床仕上材１０、２０の縁同士の平行度が低くても、見切り材４０はその隙間Ｇに装填されて当該隙間Ｇの存在をきれいに隠す。
【００４１】
これにより、意匠又は性能が異なる第１種の床仕上材１０と第２種の床仕上材２０が見切り材４０を介して整然と接続されるものになり、建物ユニット1〜３の工場生産化率を高めるとともに、相隣る建物ユニット1〜３の間での床施工の簡易迅速及び床品質の安定化を図ることができる。
【００４２】
ここで、第１建物ユニット１に敷設される第１種の床仕上材１０としては当該建物ユニット１が形成するキッチンＫにふさわしい意匠、性能（汚れにくい、汚れを除去し易い等）の床仕上材１０が採用される。また、第２と第３の建物ユニット２、３に敷設される第２種の床仕上材２０としては当該建物ユニット２、３が形成するリビングルームＬにふさわしい意匠、性能の床仕上材２０が採用される。
【００４３】
(b)第１建物ユニット１の工場で敷設する第１種の床仕上材１０の既設部１０Ｋに、予め工場で設備機器３０も設置する。これにより、第１建物ユニット１に設置すべき設備機器３０を現地で設置する必要がなくなり、第１建物ユニット１の工場生産化率を高めることができる。
【００４４】
（実施例２）（図６）
実施例２に係るユニット建物１００の床施工方法が、実施例１と異なる点は、第２建物ユニット２と第３建物ユニット３の各床部２Ｆ、３Ｆの略全面を工場で床仕上材を敷設しない未設部２０Ｍとしたことにあり、その床施工方法は以下の通りになる。
【００４５】
(1)実施例１の(1)と同じ。
(2)第２建物ユニット２と第３建物ユニット３の各床部２Ｆ、３Ｆの略全面（本実施例では全面）を、図１に示す如く、工場で床仕上材を敷設しない未設部２０Ｍとする。
【００４６】
(3)上述(1)、(2)の各建物ユニット１〜３を現地に輸送し、第１建物ユニット１と第２建物ユニット２と第３建物ユニット３をこの順に隣接配置する。
【００４７】
(4)第３建物ユニット３の床部３Ｆにおける第２種の床仕上材２０の未設部２０Ｍから、第２建物ユニット２の床部２Ｆにおける第２種の床仕上材２０の未設部２０Ｍを経て、第１建物ユニット１の床部１Ｆにおける第１種の床仕上材１０の既設部１０Ｋの境界部（第２建物ユニット２の床部２Ｆ寄りの境界部）近傍に向けて（図６で矢印の方向に向けて）順番に第２種の床仕上材２０（接続用の第２種の床仕上材２１、２２も含む）を敷設する。
【００４８】
即ち、第３建物ユニット３の床部３Ｆにおける第２種の床仕上材２０の未設部２０Ｍの略全域に第２種の床仕上材２０を敷設した後、実施例１の(5-1)の如くに、図２に示す如く、第３建物ユニット３の床部３Ｆの第２建物ユニット２の床部２Ｆに相対する境界部に敷設された第２種の床仕上材２０の端部（接続用の第２種の床仕上材２２の一端が突き合わされる端部）に設けてある凹部２０Ｒに、接続用の第２種の床仕上材２２の一端に設けてある凸部２２Ｐを嵌合し、この接続用の第２種の床仕上材２２を第３建物ユニット３の床部３Ｆから第２建物ユニット２の床部２Ｆに跨らせるように床下地材８に接着、釘打ち等して固定する。
【００４９】
続いて、第２建物ユニット２の床部２Ｆ上で、接続用の第２種の床仕上材２２の他端に設けてある凹部２２Ｒに、第２種の床仕上材２０の一端に設けてある凸部２０Ｐを嵌合し、この第２種の床仕上材２０の他端に設けてある凹部２０Ｒに他の第２種の床仕上材２０の一端に設けてある凸部２０Ｐを嵌合することを繰り返し、この第２種の床仕上材２０を第２建物ユニット２の床部２Ｆにおける未設部２０Ｍの略全域に渡るように床下地材８に接着、釘打ち等して固定する。
【００５０】
その後、実施例１の(5-2)の如くに、図３に示す如く、第２建物ユニット２の床部２Ｆの第１建物ユニット１の床部１Ｆに相対する境界部に敷設された第２種の床仕上材２０の端部（接続用の第２種の床仕上材２１の一端が突き合わされる端部）に設けてある凹部２０Ｒに、接続用の第２種の床仕上材２１の一端に設けてある凸部２１Ｐを嵌合し、この接続用の第２種の床仕上材２１を第２建物ユニット２の床部２Ｆから第１建物ユニット１の床部１Ｆに跨らせるように床下地材８に接着、釘打ち等して固定する。
【００５１】
(5)実施例１の(6)と同様に、上述(4)によって第１建物ユニット１の床部１Ｆ上で相対する第１種の床仕上材１０と第２種の床仕上材２０との境界部にできる隙間Ｇに、図４に示す如く、見切り材４０を装填する。以上により、図５に示す如く、第１〜第３建物ユニット１〜３の床部１Ｆ〜３Ｆの全面に床仕上材１０、２０が敷設完了されるものになる。
【００５２】
本実施例によれば、現地において、第１建物ユニット１と第２建物ユニット２と第３建物ユニット３を隣接配置した状態で、第３建物ユニット３の床仕上材の未設部２０Ｍから、第１建物ユニット１における第１種の床仕上材１０の既設部１０Ｋの境界部近傍に向けて順番に第２種の床仕上材２０を敷設する。その後、第１種の床仕上材１０と第２種の床仕上材２０との境界部にできる隙間Ｇに見切り材４０を装填する。このとき、第１種の床仕上材１０と第２種の床仕上材２０との境界部にできる隙間Ｇは小さく、その隙間Ｇの寸法に僅かな変動があったり、その隙間Ｇを挟んで相対向するそれらの床仕上材１０、２０の縁同士の平行度が低くても、見切り材４０はその隙間Ｇに装填されて当該隙間Ｇの存在をきれいに隠す。
【００５３】
これにより、意匠又は性能が異なる第１種の床仕上材１０と第２種の床仕上材２０が見切り材４０を介して整然と接続されるものになり、建物ユニット１〜３の工場生産化率を高めるとともに、相隣る建物ユニット１〜３の間での床施工の簡易迅速及び床品質の安定化を図ることができる。
【００５４】
ここで、第１建物ユニット１に敷設される第１種の床仕上材１０としては当該建物ユニット１が形成するキッチンＫにふさわしい意匠、性能（汚れにくい、汚れを除去し易い等）の床仕上材１０が採用される。また、第２と第３の建物ユニット２、３に敷設される第２種の床仕上材２０としては当該建物ユニット２、３が形成するリビングルームＬにふさわしい意匠、性能の床仕上材２０が採用される。
【００５５】
尚、実施例１、２の第３建物ユニット３を有さないユニット建物１００において、第１建物ユニット１と第２建物ユニット２の床部１Ｆ及び床部２Ｆに第１種の床仕上材１０及び第２種の床仕上材２０を敷設するものこともできる。この場合には、第１建物ユニット１と第２建物ユニット２を隣接配置して構築されるユニット建物１００の床施工方法であって、第１建物ユニット１の床部１Ｆの少なくとも一部を工場で第１種の床仕上材１０を敷設した既設部１０Ｋとし、第２建物ユニット２の床部２Ｆの第１建物ユニット１との境界部を含む少なくとも一部を工場で床仕上材を敷設しない未設部２０Ｋとし、現地において、第１建物ユニット１と第２建物ユニット２を隣接配置した状態で、上記第２建物ユニット２の上記未設部２０Ｍから、上記第１建物ユニット１の上記既設部１０Ｋの境界部近傍へ向けて順番に第２種の床仕上材２０を敷設し、第１種の床仕上材１０と第２種の床仕上材２０との境界部にできる隙間Ｇに見切り材４０を装填するものになる。
【００５６】
また、本発明は、第１建物ユニットの床部１Ｆの少なくとも一部を工場で第１種の床仕上材１０を敷設した既設部１０Ｋとするものである点において、第１建物ユニット１の床部１Ｆの全部を上記第１種の床仕上材１０の既設部１０Ｋとしても良い。この場合には、第１の建物ユニット１の床部１Ｆの全域に渡る広い範囲に敷設された第１種の床仕上材１０の上に予め工場で設備機器３０を設置できる。尚、このとき、第１種の床仕上材１０と第２種の床仕上材２０との境界部にできて見切り材４０が装填される隙間Ｇは、第１建物ユニット１の床部１Ｆと第２建物ユニット２の床部２Ｆの突き合せ部に位置するものになる。
【００５７】
以上、本発明の実施例を図面により詳述したが、本発明の具体的な構成はこの実施例に限られるものではなく、本発明の要旨を逸脱しない範囲の設計の変更等があっても本発明に含まれる。例えば、前述の第２種の床仕上材２０（接続用の第２種の床仕上材２１、２２も同じ）は、隣り合って敷設される他の第２種の床仕上材２０と実質的に密着して敷設できるものであれば、凹部２０Ｒ、凸部２０Ｐ等の嵌合部を両端部に備えることを必ずしも要しない。
【産業上の利用可能性】
【００５８】
本発明によれば、相隣る建物ユニットによってユニット建物を構築するとき、建物ユニットの工場生産化率を高めるとともに、相隣る建物ユニットの間での床施工の簡易迅速及び床品質の安定化を図ることができる。
【符号の説明】
【００５９】
１  第１建物ユニット
２  第２建物ユニット
３  第３建物ユニット
１Ｆ〜３Ｆ  床部
１０  第１種の床仕上材
１０Ｋ  既設部
２０  第２種の床仕上材
２０Ｋ  既設部
２０Ｍ  未設部
３０  設備機器
４０  見切り材
Ｋ  キッチン
【図１】
0006523750.tif 000002
【図２】
0006523750.tif 000003
【図３】
0006523750.tif 000004
【図４】
0006523750.tif 000005
【図５】
0006523750.tif 000006
【図６】
0006523750.tif 000007